(57)【要約】【課題】  引き戸等の障子１が完全に閉まらず、閉止位置近傍に障子１が停止した状態で放置されてしまう可能性がある。そこで、上記点を考慮したドア装置の一例を提供する。【解決手段】  ダンパー１１に連結され、障子１が開いた状態から閉じた状態に変位する際に当該障子１に設けられた係合部１Ａに係合する被係合部１３であって、係合部１Ａと係合している際に障子１と一体的に変位するとともに、当該変位に連動させてロッド１１Ｂをシリンダ１１Ａに対して変位させる被係合部１３と、係合部１Ａと被係合部１３とが係合した後、被係合部１３が予め決められた寸法を越えて変位したときに、係合部１Ａを被係合部１３から離間可能な状態とする解放機構１５とを備える。【選択図】  図２
2018204404.tif 000002
【特許請求の範囲】
【請求項１】
スライド変位する障子を操作するドア装置において、
筒状のシリンダ、及び当該シリンダに対して出没変位するロッドを有するダンパーであって、前記ロッドが前記シリンダに対して変位する際に、当該変位を妨げる減衰力を発生させるダンパーと、
前記ダンパーに連結され、前記障子が開いた状態から閉じた状態に変位する際に当該障子に設けられた係合部に係合する被係合部であって、前記係合部と係合している際に前記障子と一体的に変位するとともに、当該変位に連動させて前記ロッドを前記シリンダに対して変位させる被係合部と、
前記係合部と前記被係合部とが係合した後、前記被係合部が予め決められた寸法を越えて変位したときに、前記係合部を前記被係合部から離間可能な状態とする解放機構と
を備えるドア装置。
【請求項２】
前記被係合部は、ピン状に構成された前記係合部が嵌り込み可能な凹部を有するとともに、前記ダンパーに対して揺動可能に連結されており、
前記被係合部は、前記係合部が離間したときに、前記係合部と係合している係合状態から揺動変位した解放状態となり、
さらに、前記被係合部を前記解放状態に保持する保持機構を備える請求項１に記載のドア装置。
【請求項３】
前記解放機構は、第１摺動ピン、第２摺動ピン、第１ガイド部及び第２ガイド部を有して構成されており、
前記係合状態時における前被係合部の変位方向を変位方向としたとき、
前記第１摺動ピンは、前記被係合部のうち当該被係合部の揺動中心に対して変位方向前進側にずれた位置に設けられ、
前記第２摺動ピンは、前記被係合部のうち当該被係合部の揺動中心に対して変位方向後退側にずれた位置に設けられ、
前記第１ガイド部は、変位方向に延びる長穴状であって、前記係合状態時に前記第１摺動ピン及び前記第２摺動ピンと滑り接触し、
前記第２ガイド部は、前記第１ガイド部のうち変位方向前進側端部において前記第１ガイド部の延び方向と交差した方向に延びる長穴状であって、前記第１摺動ピンを前記揺動中心に対して前記「交差した方向」にずれた位置に変位させるように構成されている
請求項２に記載のドア装置。
【請求項４】
前記保持機構は、少なくとも前記解放状態時に前記被係合部を押圧する押圧部を有して構成されており、
前記押圧部は、前記被係合部を変位方向前進側に向けて押圧する請求項３に記載のドア装置。
【発明の詳細な説明】
【技術分野】
【０００１】
本願は、スライド変位する障子（ドアも含む。）を操作するドア装置に関する。
【背景技術】
【０００２】
例えば、特許文献１に記載のドア装置は、引き戸等の障子が所定速度以上で閉止位置に近接する場合には当該引き戸に制動力を作用させ、かつ、引き戸が所定速度未満で閉止位置に近接する場合には当該引き戸に制動力を作用させない。
【先行技術文献】
【特許文献】
【０００３】
【特許文献１】特開２００７−１８６９８７号公報
【発明の概要】
【発明が解決しようとする課題】
【０００４】
特許文献１に記載の発明では、引き戸が所定速度以上で閉止位置に近接する場合には当該引き戸に制動力が作用する。このため、特許文献１に記載の発明では、引き戸が完全に閉まらず、閉止位置近傍に引き戸が停止した状態で放置されてしまう可能性がある。そこで、本願は、上記点を考慮したドア装置の一例を提供する。
【課題を解決するための手段】
【０００５】
スライド変位する障子（１）を操作するドア装置は、ダンパー（１１）に連結され、障子（１）が開いた状態から閉じた状態に変位する際に当該障子（１）に設けられた係合部（１Ａ）に係合する被係合部（１３）であって、係合部（１Ａ）と係合している際に障子（１）と一体的に変位するとともに、当該変位に連動させてロッド（１１Ｂ）をシリンダ（１１Ａ）に対して変位させる被係合部（１３）と、係合部（１Ａ）と被係合部（１３）とが係合した後、被係合部（１３）が予め決められた寸法を越えて変位したときに、係合部（１Ａ）を被係合部（１３）から離間可能な状態とする解放機構（１５）とを備える。
【０００６】
これにより、係合部（１Ａ）と被係合部（１３）とが係合している係合状態では、ダンパー（１１）と障子（１）とが被係合部（１３）を介して連結された状態となる。このため、係合状態時においては、ダンパー（１１）で発生する減衰力が障子（１）に作用するので、当該障子（１）の変位速度が減速される。
【０００７】
被係合部（１３）が予め決められた寸法を越えて変位したときに、被係合部（１３）が係合部（１Ａ）から離間可能な状態となる。そして、係合部（１Ａ）が被係合部（１３）から離間した状態では、ダンパー（１１）の減衰力が障子（１）に作用しなくなる。したがって、利用者は、減衰力により変位速度が低下した障子（１）、又は当該減衰力により停止した障子（１）を容易に閉めることが可能となる。
【０００８】
すなわち、特許文献１の発明では、変位速度が所定速度以上の場合には、制動力が作用し続けるので、利用者が障子（１）を閉じる際に必要な操作力が大きく、障子（１）を容易に閉めることができない。
【０００９】
これに対して、上記ドア装置では、被係合部（１３）が予め決められた寸法を越えて変位したときに障子（１）がドア装置から解放され得る。このため、障子（１）の変位を妨げる減衰力が障子（１）に作用しないので、利用者は、障子（１）を容易に閉めることが可能となる。
【００１０】
因みに、上記各括弧内の符号は、後述する実施形態に記載の具体的構成等との対応関係を示す一例であり、本発明は上記括弧内の符号に示された具体的構成等に限定されるもではない。
【図面の簡単な説明】
【００１１】
【図１】本発明の第１実施形態に係るドア装置の設置状態を示す図である。
【図２】本発明の第１実施形態に係るドア装置の概要を示す図である。
【図３】本発明の第１実施形態に係るドア装置の係合状態を示す図である。
【図４】本発明の第１実施形態に係るドア装置の係合状態を示す図である。
【図５】本発明の第１実施形態に係るドア装置の解放可能状態を示す図である。
【図６】本発明の第１実施形態に係るドア装置の第１解放状態を示す図である。
【図７】本発明の第１実施形態に係るドア装置の第２解放状態を示す図である。
【図８】Ａは本発明の第２実施形態に係るドア装置の第１解放状態を示す図である。Ｂは本発明の第２実施形態に係るドア装置の第２解放状態を示す図である。
【図９】Ａは本発明の第２実施形態に係るドア装置の係合状態を示す図である。Ｂは図９ＡのＢ−Ｂ断面を示す図である。
【発明を実施するための形態】
【００１２】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１３】
以下、本発明の実施形態を図面と共に説明する。なお、各図に付された方向を示す矢印等は、各図相互の関係を理解し易くするために記載したものである。本発明は、各図に付された方向に限定されるものではない。
【００１４】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１５】
（第１実施形態）
１．ドア装置の概要
本実施形態は、図１に示すように、引き戸用のドア装置１０に本発明を適用したものである。引き戸１は、例えば左右方向にスライド変位する障子である。引き戸１（以下、障子１という。）は、窓枠３によりスライド可能に規制されている。
【００１６】
本実施形態に係るドア装置１０は、矩形状の窓枠３のうち、水平方向に延びる上枠部３Ａに装着されている。ドア装置１０は、少なくとも障子１が開いた状態から閉じた状態にスライド変位する際に、当該障子１のスライド速度を減速させる。
【００１７】
２．ドア装置の構成
ドア装置１０は、図２に示すように、ダンパー１１、被係合部１３、第１解放機構１５及びフレーム１７等を備える。
【００１８】
＜ダンパー＞
ダンパー１１は、シリンダ１１Ａ及びロッド１１Ｂ等を有する。ロッド１１Ｂは、筒状のシリンダ１１Ａに対して出没変位する棒状の部材である。シリンダ１１Ａ内には、ロッド１１Ｂをシリンダ１１Ａ外に押し出す弾性力を発揮する押圧部１１Ｃが設けられている。
【００１９】
押圧部１１Ｃは、コイル状の金属ばね、又はシリンダ１１Ａ内に封入された窒素等の不活性ガスによる空気ばねにて構成されている。なお、本実施形に係る押圧部１１Ｃは、窒素ガスによる空気ばねである。
【００２０】
ダンパー１１は、ロッド１１Ｂがシリンダ１１Ａに対して変位する際に、当該変位を妨げる減衰力を発生する。なお、当該ダンパー１１は、シリンダ１１Ａ内に封入された粘性流体（例えば、オイル）が流動する際に発生する粘性抵抗を利用して、当該減衰力を発生させる。
【００２１】
シリンダ１１Ａはフレーム１７に連結固定されている。フレーム１７は上枠部３Ａに固定されている（図１参照）。つまり、ダンパー１１は、フレーム１７を介して窓枠３に固定されている。
【００２２】
＜被係合部＞
被係合部１３は、ダンパー１１の先端に連結されているとともに、係合部１Ａと係合した際にダンパー１１と障子１とを連結する。すなわち、係合部１Ａは、図１に示すように、障子１の上部桟１Ｂに設けられたピン状の部材である。
【００２３】
被係合部１３は、図２に示すように、係合部１Ａが嵌り込み可能な凹部１３Ａを有する略Ｕ字状又はコの字状の部材であって、ロッド１１Ｂの先端に揺動可能に連結されている。
【００２４】
被係合部１３は、少なくとも障子１が開いた状態から閉じた状態に変位（以下、閉鎖変位という。）する際に係合部１Ａと係合する。このため、被係合部１３と係合部１Ａと係合している際には、障子１とロッド１１Ｂとは一体的に変位する。
【００２５】
つまり、障子１が閉鎖変位している際において、係合部１Ａが被係合部１３（凹部１３Ａ）に嵌り込むように引っ掛かって係合した状態では、ロッド１１Ｂが障子１の閉鎖変位に連動してシリンダ１１Ａに対して変位し、ダンパー１１が伸張する。
【００２６】
本実施形態では、障子１が閉じた状態から開いた状態に変位（以下、解放変位という。）する際にも係合部１Ａと被係合とが係合する。このため、障子１が解放変位している際に、係合部１Ａと被係合とが係合すると、ロッド１１Ｂは、ダンパー１１が縮むようにシリンダ１１Ａに対して変位する。
【００２７】
本実施形態に係るダンパー１１は、少なくとも伸張している際に減衰力を発生する。換言すれば、障子１が閉鎖変位し、かつ、係合部１Ａと被係合部１３とが係合している際に、ダンパー１１に減衰力が発生する。なお、本実施形態に係るダンパー１１は、縮む際にも減衰力が発生する。
【００２８】
＜第１解放機構＞
第１解放機構１５は、障子１が閉鎖の向きに変位しながら係合部１Ａと被係合部１３とが係合した後、被係合部１３が閉鎖の向きに予め決められた寸法を越えて変位したときに、係合部１Ａを被係合部１３から離間可能な状態とする。
【００２９】
第１解放機構１５は、図３及び図４に示すように、第１摺動ピン１５Ａ、第２摺動ピン１５Ｂ、第１ガイド部１５Ｃ、第２ガイド部１５Ｄ及び第３ガイド部１５Ｅ等を有して構成されている。
【００３０】
第１摺動ピン１５Ａは、図３に示すように、被係合部１３のうち当該被係合部１３の揺動中心Ｏ１に対して変位方向前進側にずれた位置に設けられた部材である。第２摺動ピン１５Ｂは、被係合部１３のうち揺動中心Ｏ１に対して変位方向後退側にずれた位置に設けられた部材である。
【００３１】
変位方向とは、被係合部１３と係合部１Ａとが係合した状態（以下、係合状態という。）で障子１が閉鎖変位している状態時における被係合部１３の変位方向である。そして、変位方向前進向きは、閉鎖の向きと一致する。変位方向後退向きは、閉鎖の向きと反対向き、つまり解放の向きと一致する。
【００３２】
第１ガイド部１５Ｃは、図４に示すように、変位方向に延びる長穴である。当該第１ガイド部１５Ｃは、少なくとも係合状態時、つまり被係合部１３が変位方向に変位する際に第１摺動ピン１５Ａ及び第２摺動ピン（１５Ｂ）と滑り接触する。
【００３３】
このため、第１摺動ピン１５Ａ及び第２摺動ピン１５Ｂが第１ガイド部１５Ｃに接触している状態（以下、規制状態という。）では、被係合部１３は、揺動が規制された状態で変位方向に変位する。
【００３４】
規制状態では、被係合部１３は、凹部１３Ａが係合部１Ａ（障子１）側に向けて開口し、係合状態を維持可能な状態に維持される。つまり、規制状態では、障子１が閉鎖の向き及び解放の向きのうちいずれの向きに変位しても係合状態が維持され得る。
【００３５】
第２ガイド部１５Ｄは、図５に示すように、第１ガイド部１５Ｃのうち変位方向前進側端部に設けられた長穴であって、第１ガイド部１５Ｃの延び方向と交差した方向に延びる長穴である。
【００３６】
つまり、第２ガイド部１５Ｄは、第１ガイド部１５Ｃのうち変位方向前進側端部に到達した第１摺動ピン１５Ａを、図６に示すように、揺動中心Ｏ１に対して「交差した方向」にずれた位置に変位させるための案内溝である。
【００３７】
そして、第１摺動ピン１５Ａが揺動中心Ｏ１に対して「交差した方向」にずれた位置に揺動変位した状態（以下、開放状態という。）、つまり被係合部１３が図６に示す状態になると、被係合部１３は係合状態を維持することができない。
【００３８】
換言すれば、係合部１Ａが被係合部１３から離間したときには、被係合部１３は、係合状態から揺動変位した解放状態となる。なお、図５に示す状態（以下、解放可能状態という。）及び図６に示す状態（解放状態）のいずれも「係合部１Ａを被係合部１３から離間可能な状態」である。
【００３９】
すなわち、規制状態では、第１摺動ピン１５Ａ及び第２摺動ピン１５Ｂが第１ガイド部１５Ｃに接触している。このため、被係合部１３を揺動させる外力モーメントが当該被係合部１３に作用しても、被係合部１３は揺動変位できない。つまり、規制状態では、係合状態が維持され得る。
【００４０】
解放可能状態では、図５に示すように、第１摺動ピン１５Ａが第２ガイド部１５Ｄと第１ガイド部１５Ｃとの連結部に位置する。被係合部１３を紙面右向きに揺動させる外力モーメントが当該被係合部１３に作用すると、図６に示すように、被係合部１３は、係合状態から解放状態に揺動変位する。
【００４１】
つまり、解放可能状態において、第１摺動ピン１５Ａは、第２ガイド部１５Ｄに沿って上記「交差した方向」に変位可能である。第２摺動ピン１５Ｂは、解放可能状態においても第１ガイド部１５Ｃにより規制されているので、上記「交差した方向」に変位できない。
【００４２】
このため、上記外力モーメントが被係合部１３に作用すると、第１摺動ピン１５Ａ及び揺動中心Ｏ１が第２摺動ピン１５Ｂを中心として変位するため、被係合部１３は解放状態となる。つまり、「交差した方向」とは、被係合部１３を解放状態に揺動変位させるための方向である。
【００４３】
なお、本実施形態に係る揺動中心Ｏ１は、被係合部１３の揺動変位に応じて変位可能である。すなわち、被係合部１３及びロッド１１Ｂのうちいずれか一方（本実施形態では、被係合部１３）には、第２ガイド部１５Ｄと略平行な方向に延びる長穴１３Ｂが設けられ、他方（本実施形態では、ロッド１１Ｂ）には連結ピン１１Ｄが設けられている。
【００４４】
連結ピン１１Ｄは、長穴１３Ｂの内周面に滑り接触しながら、当該長穴１３Ｂの長手方向に変位可能である。このため、第１摺動ピン１５Ａが第２ガイド部１５Ｄに沿って変位する際には、第１摺動ピン１５Ａ及び連結ピン１１Ｄは、第２摺動ピン１５Ｂを中心とする円弧を描くように変位する（図６参照）。
【００４５】
＜保持機構＞
図６に示す保持機構１９は、被係合部１３を解放状態に保持するための機構である。当該保持機構１９は、ダンパー１１の押圧部１１Ｃ及び第２ガイド部１５Ｄ等により構成されている。
【００４６】
第２ガイド部１５Ｄは、第１ガイド部１５Ｃの変位方向前進側端部（以下、前進側端部という。）から上記「交差した方向」に延びている。第２ガイド部１５Ｄの延び方向先端部（以下、先端部という。）は、前進側端部に対して変位方向後退側にずれている。
【００４７】
さらに、解放状態においては、第１摺動ピン１５Ａの中心Ｏ２から第１ガイド部１５Ｃの中心軸線Ｌｏまでの距離Ｌ１は、揺動中心Ｏ１から中心軸線Ｌｏまでの距離Ｌ２より大きい。つまり、解放状態においては、第１摺動ピン１５Ａは、揺動中心Ｏ１より第１ガイド部１５Ｃから離間し、かつ、前進側端部より変位方向後退側に位置する。
【００４８】
押圧部１１Ｃは、ロッド１１Ｂを伸張させる力を発揮するので、第１摺動ピン１５Ａは、第２ガイド部１５Ｄの内周面のうち変位方向前進側の内周面に押圧される。このため、第１摺動ピン１５Ａが当該内周面から受ける反作用は、「第１摺動ピン１５Ａを第２ガイド部１５Ｄの先端部側に変位させる力」として被係合部１３に作用する。
【００４９】
したがって、押圧部１１Ｃが被係合部１３を変位方向前進側に押圧する力は、被係合部１３を解放状態に保持するための力として被係合部１３に作用する。つまり、ダンパー１１の押圧部１１Ｃ及び第２ガイド部１５Ｄ等により保持機構１９が構成される。
【００５０】
＜第２解放機構＞
図７に示す第２解放機構２１は、障子１が解放の向きに変位しながら係合部１Ａと被係合部１３とが係合した後、被係合部１３が解放の向きに予め決められた寸法を越えて変位したときに、係合部１Ａを被係合部１３から離間可能な状態とするための機構である。
【００５１】
第２解放機構２１は、変位方向と直交する仮想線に対して、第１解放機構１５と線対称な第３ガイド部１５Ｅ等により構成されている。つまり、第３ガイド部１５Ｅは、第１ガイド部１５Ｃの変位方向後退側端部（以下、後退端部という。）から上記「交差した方向」に延びている。
【００５２】
第３ガイド部１５Ｅの延び方向先端部（以下、先端部という。）は、後退側端部に対して変位方向前進側にずれている。そして、第２解放機構２１の作動は、第１解放機構１５の作動と逆向きである。
【００５３】
つまり、第２摺動ピン１５Ｂは、第２ガイド部１５Ｄと第１ガイド部１５Ｃとの連結部（後退端部）に到達すると、被係合部１３が揺動可能な状態となる。この状態において、紙面左向きのモーメントが被係合部１３に作用すると、第２摺動ピン１５Ｂ及び揺動中心Ｏ１が第１摺動ピン１５Ａを中心のとして揺動し、図７に示す状態となる。
【００５４】
図７に示す状態（以下、第２解放状態という。）では、係合部１Ａが被係合部１３から離間するので、障子１は、ドア装置１０から拘束力を受けることなく、解放変位する。なお、以下、図６に示す解放状態を「第１解放状態」という。
【００５５】
３．ドア装置の作動（図２参照）
＜閉鎖変位＞
障子１がドア装置１０（被係合部１３）から離間した状態から閉鎖変位する際には、第２解放状態にある被係合部１３に係合部１Ａが衝突して被係合部１３が係合状態となる。係合状態では、ダンパー１１で発生する減衰力が障子１に作用するので、当該障子１は、減速しながら閉鎖の向き変位する。
【００５６】
つまり、被係合部１３は、係合状態を維持しながら第１ガイド部１５Ｃに沿って第３ガイド部１５Ｅ側から第２ガイド部１５Ｄ側に変位する。第１摺動ピン１５Ａが、第１ガイド部１５Ｃと第２ガイド部１５Ｄとの連結部に到達すると、被係合部１３は、係合状態から解放可能状態に移行する。
【００５７】
解放可能状態時に障子１が停止状態まで減速していた場合においては、利用者が当該障子１を閉鎖の向きに変位させると、被係合部１３が第１解放状態となって係合部１Ａ（障子１）が被係合部１３（ドア装置１０）から離間する。
【００５８】
解放可能状態時に障子１が停止状態まで減速していない場合においては、当該障子１が閉鎖の向きに変位することにより、被係合部１３が解放可能状態から第１解放状態に揺動変位する。
【００５９】
＜解放変位＞
障子１がドア装置１０（被係合部１３）から離間した状態から解放変位する際には、第１解放状態にある被係合部１３に係合部１Ａが衝突して被係合部１３が係合状態となる。被係合部１３は、係合状態を維持しながら第１ガイド部１５Ｃに沿って第２ガイド部１５Ｄ側から第３ガイド部１５Ｅ側に変位する。
【００６０】
第２摺動ピン１５Ｂが、第１ガイド部１５Ｃと第３ガイド部１５Ｅとの連結部に到達後も障子１が解放の向きに変位すると、被係合部１３は、係合状態から第２解放状態に揺動変位する。
【００６１】
４．本実施形態に係るドア装置の特徴
本実施形態に係るドア装置１０では、係合部１Ａと被係合部１３とが係合している係合状態では、ダンパー１１と障子１とが被係合部１３を介して連結された状態となる。このため、係合状態時においては、ダンパー１１で発生する減衰力が障子１に作用するので、当該障子１の変位速度が減速される。
【００６２】
被係合部１３が予め決められた寸法を越えて変位したとき、つまり第１摺動ピン１５Ａが第１ガイド部１５Ｃの前進側端部に到達したときに、係合部１Ａと被係合部１３とが離間可能な状態となる。
【００６３】
そして、係合部１Ａが被係合部１３から離間した状態では、ダンパー１１の減衰力が障子１に作用しなくなる。したがって、利用者は、減衰力により変位速度が低下した障子１、又は当該減衰力により停止した障子１を容易に閉めることが可能となる。なお、利用者が障子１を閉める力は、係合状態の被係合部１３を解放状態に揺動変位させるモーメントとして当該被係合部１３に作用する。
【００６４】
すなわち、ドア装置１０では、被係合部１３が予め決められた寸法を越えて変位したときに障子１がドア装置から解放され得る。このため、障子１の変位を妨げる減衰力が障子１に作用しないので、利用者は、障子１を容易に閉めることが可能となる。
【００６５】
被係合部１３を解放状態に保持する保持機構１９を備える。これにより、利用者が閉じた障子１を開く際に、被係合部１３と係合部１Ａとが干渉してしまうことを抑制できる。
因みに、仮に、障子１が閉鎖状態にあるときに被係合部１３が係合状態又は離間可能状態であると、解放変位する係合部１Ａは、凹部１３Ａに嵌り込むことなく、当該被係合部１３と衝突（干渉）する。
【００６６】
係合部１Ａが凹部１３Ａに嵌り込むことなく、解放方向に変位し、第２摺動ピン１５Ｂが後退端部に到達すると、被係合部１３から係合部１Ａが離間することができないので、その時点で障子１の解放変位が強制的に中断される。
【００６７】
（第２実施形態）
上述の実施形態に係る保持機構１９は、「押圧部１１Ｃが第１摺動ピン１５Ａを押圧する力を利用して被係合部１３を第１解放状態に保持」した。これに対して、本実施形態では、図８Ａ及び図８Ｂに示すように、ばね１９Ａの弾性力を利用して被係合部１３を第１解放状態に保持する。
【００６８】
すなわち、図９Ａ及び図９Ｂに示すように、ばね１９は、コイル状に構成されたコイルばねである。ばね１９Ａの伸縮方向一端は被係合部１３に連結され、当該ばね１９Ａの伸縮方向他端はロッド１１Ｂに連結されている。
【００６９】
さらに、係合状態において、連結ピン１１Ｄの中心及び第２摺動ピン１５Ｂの中心が変位方向と平行な仮想線Ｌｏ上に位置し、かつ、ばね１９Ａの中心軸線が仮想線Ｌｏと平行となるように構成されている。
【００７０】
なお、本実施形態では、第１摺動ピン１５Ａが廃止され、かつ、第１ガイド部１５Ｃ、第２ガイド部１５Ｄ及び第３ガイド部１５Ｅは、図９Ｂに示すように、被係合部１３を挟んでばね１９Ａと反対側（図面下側）に設けられている。
【００７１】
つまり、ばね１９Ａは、連結ピン１１Ｄを挟んで一方側で被係合部１３に連結され、連結ピン１１Ｄを挟んで他方側でダンパー１１に連結されている。そして、当該一方側に位置する第１摺動ピン１５Ａが廃止されている。
【００７２】
なお、図９Ｂに示すように、第１ガイド部１５Ｃ〜第３ガイド部１５Ｅは、フレーム１７を貫通した貫通穴状の長穴で構成されている。フレーム１７のうち第１ガイド部１５Ｃが設けられた部位には、連結ピン１１Ｄの変位を案内する溝部１７Ａが設けられている。
【００７３】
以上の構成により、被係合部１３が第１解放状態になると、ばね１９Ａは、第１解放状態を維持する弾性力を発揮する（図８Ａ参照）。同様に、被係合部１３が第２解放状態になると、ばね１９Ａは、第２解放状態を維持する弾性力を発揮する（図８Ｂ参照）。
【００７４】
なお、上述の実施形態と同一の構成要件等は、上述の実施形態と同一の符号を付したので、重複する説明は省略する。
（その他の実施形態）
上述の実施形態に係るドア装置１０は保持機構１９を備えていた。しかし、本願明細書に開示された発明はこれに限定されるものではない。すなわち、保持機構１９を備えていないドア装置１０であってもよい。
【００７５】
上述の実施形態では、ロッド１１Ｂに被係合部１３が連結され、シリンダ１１Ａがフレーム１７に固定されていた。しかし、本願明細書に開示された発明はこれに限定されるものではない。すなわち、例えば、ロッド１１Ｂがフレーム１７に固定され、シリンダ１１Ａに被係合部１３が連結された構成であってもよい。
【００７６】
上述の実施形態に係るダンパー１１は、ロッド１１Ｂが伸張する場合及びロッド１１Ｂが縮む場合のいずれの場合も減衰力が発生する構成であった。しかし、本願明細書に開示された発明はこれに限定されるものではない。
【００７７】
すなわち、少なくとも障子１が閉鎖の向きに変位する際に減衰力が発生する構成であれば十分である。なお、障子１が解放の向きに変位する際に減衰力が発生しない構成であれば、利用者は、障子１を容易に解放の向きに変位させることができる。
【００７８】
上述の実施形態に係る第１解放機構１５は、解放可能状態が発生し得る構成であった。しかし、本願明細書に開示された発明はこれに限定されるものではない。すなわち、例えば、被係合部１３が閉鎖の向きに予め決められた寸法を越えて変位したとき被係合部１３を解放状態とする第１解放機構１５であってもよい。
【００７９】
上述の実施形態に係るダンパー１１は、押圧部１１Ｃを備えていた。しかし、本願明細書に開示された発明はこれに限定されるものではない。すなわち、例えば、押圧部１１Ｃが廃止され、減衰力のみを発揮するダンパーであってもよい。
【００８０】
上述の第２実施形態に係るばね１９Ａは、連結ピン１１Ｄを挟んで一方側で被係合部１３に連結され、連結ピン１１Ｄを挟んで他方側でダンパー１１に連結されていた。しかし、本願明細書に開示された発明はこれに限定されるものではない。
【００８１】
すなわち、ばね１９Ａが、連結ピン１１Ｄを挟んで他方側で被係合部１３に連結され、連結ピン１１Ｄを挟んで一方側でダンパー１１に連結された構成であってもよい。なお、上記構成では、第２摺動ピン１５Ｂが廃止され、第１摺動ピン１５Ａのみが第１ガイド部１５Ｃ内を摺接する構成となる。
【００８２】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００８３】
１… 障子  １Ａ… 係合部  １Ｂ… 上部桟  ３… 窓枠  ３Ａ… 上枠部
１０… ドア装置  １１… ダンパー  １１Ａ… シリンダ  １１Ｂ… ロッド
１１Ｃ… 押圧部  １１Ｄ… 連結ピン  １３… 被係合部  １３Ａ… 凹部
１３Ｂ… 長穴  １５… 第１解放機構  １５Ａ… 第１摺動ピン
１５Ｂ… 第２摺動ピン  １５Ｃ… 第１ガイド部  １５Ｄ… 第２ガイド部
１５Ｅ… 第３ガイド部  １７… フレーム  １９… 保持機構
【図１】
2018204404.tif 000003
【図２】
2018204404.tif 000004
【図３】
2018204404.tif 000005
【図４】
2018204404.tif 000006
【図５】
2018204404.tif 000007
【図６】
2018204404.tif 000008
【図７】
2018204404.tif 000009
【図８】
2018204404.tif 000010
【図９】
2018204404.tif 000011